(57)【要約】【課題】本発明は、印刷中の印刷ジョブの印刷条件に応じて、後からの印刷ジョブを割り込みによって優先して印刷する印刷装置に関する。【解決手段】印刷装置１は、スプール部５にスプールされている先発印刷ジョブを印刷中に、既にスプール部５にスプールされている印刷ジョブまたは印刷中にスプール部５にスプールした印刷ジョブを後発印刷ジョブとする割り込み印刷要求が発生すると、当該先発印刷ジョブの印刷条件に基づいて先発印刷ジョブの印刷を一時停止可能かどうか判断し、先発印刷ジョブの印刷が一時停止可能であると、先発印刷ジョブの印刷を一時停止させて、後発印刷ジョブを先に印刷処理する。したがって、先発印刷ジョブの印刷に不具合を発生させることなく、可能な限り後発印刷ジョブの割り込み印刷を行うことができる。【選択図】          図１
2007160835.tif 000002
【特許請求の範囲】
【請求項１】
印刷ジョブをスプール手段にスプールした後、印刷実行部で印刷処理する印刷装置において、所定の印刷ジョブを先発印刷ジョブとして印刷中に、既に前記スプール手段にスプールされている印刷ジョブまたは当該印刷中に前記スプール手段にスプールした印刷ジョブを後発印刷ジョブとする所定の割り込み印刷要求が発生すると、当該先発印刷ジョブの印刷条件に基づいて当該先発印刷ジョブの印刷を一時停止可能かどうか判断し、当該先発印刷ジョブの印刷が一時停止可能であると、当該先発印刷ジョブの印刷を一時停止させて、前記後発印刷ジョブを先に印刷処理する割り込み印刷管理制御処理を実行することを特徴とする印刷装置。
【請求項２】
前記印刷装置は、前記割り込み印刷要求を発生する割り込みキーを備え、当該割り込みキーのキー操作があると、前記割り込み印刷管理制御処理を実行することを特徴とする請求項１記載の印刷装置。
【請求項３】
前記印刷装置は、前記割り込み印刷要求のあった後発印刷ジョブの印刷処理を終了した後に、前記割り込みキーが再度キー操作されると、前記先発印刷ジョブの一時停止を解除して、当該先発印刷ジョブの印刷処理を再開することを特徴とする請求項２記載の印刷装置。
【請求項４】
前記印刷装置は、前記割り込み印刷要求に応じて前記先発印刷ジョブの印刷を一時停止させる場合、当該先発印刷ジョブの印刷条件に基づいて当該先発印刷ジョブの一時停止タイミングを決定することを特徴とする請求項１から請求項３のいずれかに記載の印刷装置。
【請求項５】
前記印刷装置は、前記先発印刷ジョブの印刷の一時停止が不可能であると、割り込み印刷を実行できない旨を所定の通知手段から通知することを特徴とする請求項１から請求項４のいずれかに記載の印刷装置。
【請求項６】
前記印刷装置は、複数の給紙部を備え、前記割り込み印刷要求による前記後発印刷ジョブの印刷に使用する給紙部を前記複数の給紙部から適宜選択可能であることを特徴とする請求項１から請求項５のいずれかに記載の印刷装置。
【請求項７】
前記印刷装置は、複数の排紙部を備え、前記割り込み印刷要求による前記後発印刷ジョブの印刷に使用する排紙部を前記複数の排紙部から適宜選択可能であることを特徴とする請求項１から請求項６のいずれかに記載の印刷装置。
【請求項８】
前記印刷装置は、前記印刷済の用紙の排紙部への排出において印刷面を表向けて排出するフェースアップ排出と印刷面を裏向けて排出するフェースダウン排出とを切り換える排出面切換機能を備えており、前記割り込み印刷要求による前記後発印刷ジョブの印刷での印刷済用紙の排出を前記排出面切換機能によって前記フェースダウン排出と前記フェースアップ排出とに宜選択可能であることを特徴とする請求項１から請求項７のいずれかに記載の印刷装置。
【請求項９】
前記印刷装置は、他の印刷装置の接続されている所定のネットワークに接続され、前記先発印刷ジョブの印刷の一時停止が不可能であると、前記スプール手段にスプールされている前記後発印刷ジョブを前記他の印刷装置に送信して、当該他の印刷装置に印刷させる印刷ジョブ転送機能を備えていることを特徴とする請求項１から請求項８のいずれかに記載の印刷装置。
【請求項１０】
前記印刷装置は、前記後発印刷ジョブが前記スプール手段に複数スプールされていると、当該複数のスプールされている後発印刷ジョブのうち選択された後発印刷ジョブを前記割り込み印刷要求によって割り込み印刷する印刷ジョブまたは前記他の印刷装置に転送する印刷ジョブとすることを特徴とする請求項１から請求項９のいずれかに記載の印刷装置。
【発明の詳細な説明】
【技術分野】
【０００１】
本発明は、印刷装置に関し、詳細には、複数のホスト装置によって共有されている場合に、後からの印刷ジョブを割り込みによって優先して印刷する印刷装置に関する。
【背景技術】
【０００２】
従来、印刷データの受信、画像の展開処理及び用紙への印字という一連のプリント動作（印刷動作）を１つの印刷ジョブずつシーケンシャルに処理する印刷装置においては、印刷データに優先順位コードを付加することは、印刷データ自体が前の印刷ジョブの印刷データの受信が完了しないと、印刷装置では印刷ジョブを受信しないため、前の印刷ジョブを停止して後からの印刷ジョブの印刷を先に行うことはできない。
【０００３】
なお、特定のホスト装置に複数の送信待ちの印刷ジョブデータがある場合には、それらの印刷ジョブデータに関しては、ホスト装置側の処理で、順番を入れ換えることはできる。
【０００４】
ところが、ひとつの印刷ジョブの印刷データの印刷装置への送信を開始すると、その印刷ジョブの印刷を完了させるか、中断操作を行うかしない限り、一つの印刷ジョブの印刷処理中は、他の印刷ジョブの印刷処理を挿入することができない。
【０００５】
その結果、このような従来の印刷装置にあっては、処理中の印刷ジョブが大量の印刷枚数データを出力するものであったり、あるサイズの用紙切れ等で用紙補充待ちで止まっている等の場合には、次の印刷ジョブを優先的に印刷させたくても、前の印刷ジョブが最後まで完了するのを待つ以外、処理の方法はなく、待つことができない至急を要する印刷ジョブがある場合には、前の印刷ジョブを中断させて、至急を要する次の印刷ジョブの印刷処理を行わせることしか方法がなかった。
【０００６】
そして、従来、印刷ジョブの処理中に当該印刷ジョブを中断させる方法としては、割り込み開始コマンド検出から割り込み終了コマンド検出まで、連続複写印刷処理を中止し、割り込み印刷を行い、割り込み印刷終了後、連続複写印刷に処理を戻す割り込み印刷装置が提案されている（特許文献１参照）。
【０００７】
【特許文献１】特開２００１−２４６８１１号公報
【発明の開示】
【発明が解決しようとする課題】
【０００８】
しかしながら、上記従来技術にあっては、割り込み開始コマンドがあると、現在印刷中の印刷ジョブの印刷条件に関わらず、当該印刷中の印刷ジョブを一時停止させて、割り込み印刷を開始するので、印刷中の印刷ジョブの印刷条件によっては、印刷を一時停止させると、不具合が発生することがあり、適切な印刷を実行しつつ、割り込み印刷を実行して利用性を向上させる上で、改良の必要があった。
【０００９】
すなわち、例えば、現在印刷中の印刷ジョブで、ステープル等が設定されていると、当該印刷中の印刷ジョブを最後まで印刷を実行する必要があり、このような場合に、印刷を一時停止すると、ステープル処理を適切に行うことができない。
【００１０】
そこで、本発明は、印刷中の印刷ジョブに不具合を発生させることなく、可能な限り割り込み印刷を適切に実行する印刷装置を提供することを目的としている。
【課題を解決するための手段】
【００１１】
請求項１記載の発明の印刷装置は、印刷ジョブをスプール手段にスプールした後、印刷実行部で印刷処理する印刷装置において、所定の印刷ジョブを先発印刷ジョブとして印刷中に、既に前記スプール手段にスプールされている印刷ジョブまたは当該印刷中に前記スプール手段にスプールした印刷ジョブを後発印刷ジョブとする所定の割り込み印刷要求が発生すると、当該先発印刷ジョブの印刷条件に基づいて当該先発印刷ジョブの印刷を一時停止可能かどうか判断し、当該先発印刷ジョブの印刷が一時停止可能であると、当該先発印刷ジョブの印刷を一時停止させて、前記後発印刷ジョブを先に印刷処理する割り込み印刷管理制御処理を実行することにより、上記目的を達成している。
【００１２】
この場合、例えば、請求項２に記載するように、前記印刷装置は、前記割り込み印刷要求を発生する割り込みキーを備え、当該割り込みキーのキー操作があると、前記割り込み印刷管理制御処理を実行するものであってもよい。
【００１３】
また、例えば、請求項３に記載するように、前記印刷装置は、前記割り込み印刷要求のあった後発印刷ジョブの印刷処理を終了した後に、前記割り込みキーが再度キー操作されると、前記先発印刷ジョブの一時停止を解除して、当該先発印刷ジョブの印刷処理を再開してもよい。
【００１４】
さらに、例えば、請求項４に記載するように、前記印刷装置は、前記割り込み印刷要求に応じて前記先発印刷ジョブの印刷を一時停止させる場合、当該先発印刷ジョブの印刷条件に基づいて当該先発印刷ジョブの一時停止タイミングを決定してもよい。
【００１５】
また、例えば、請求項５に記載するように、前記印刷装置は、前記先発印刷ジョブの印刷の一時停止が不可能であると、割り込み印刷を実行できない旨を所定の通知手段から通知してもよい。
【００１６】
さらに、例えば、請求項６に記載するように、前記印刷装置は、複数の給紙部を備え、前記割り込み印刷要求による前記後発印刷ジョブの印刷に使用する給紙部を前記複数の給紙部から適宜選択可能であってもよい。
【００１７】
また、例えば、請求項７に記載するように、前記印刷装置は、複数の排紙部を備え、前記割り込み印刷要求による前記後発印刷ジョブの印刷に使用する排紙部を前記複数の排紙部から適宜選択可能であってもよい。
【００１８】
さらに、例えば、請求項８に記載するように、前記印刷装置は、前記印刷済の用紙の排紙部への排出において印刷面を表向けて排出するフェースアップ排出と印刷面を裏向けて排出するフェースダウン排出とを切り換える排出面切換機能を備えており、前記割り込み印刷要求による前記後発印刷ジョブの印刷での印刷済用紙の排出を前記排出面切換機能によって前記フェースダウン排出と前記フェースアップ排出とに宜選択可能であってもよい。
【００１９】
また、例えば、請求項９に記載するように、前記印刷装置は、他の印刷装置の接続されている所定のネットワークに接続され、前記先発印刷ジョブの印刷の一時停止が不可能であると、前記スプール手段にスプールされている前記後発印刷ジョブを前記他の印刷装置に送信して、当該他の印刷装置に印刷させる印刷ジョブ転送機能を備えていてもよい。
【００２０】
さらに、例えば、請求項１０に記載するように、前記印刷装置は、前記後発印刷ジョブが前記スプール手段に複数スプールされていると、当該複数のスプールされている後発印刷ジョブのうち選択された後発印刷ジョブを前記割り込み印刷要求によって割り込み印刷する印刷ジョブまたは前記他の印刷装置に転送する印刷ジョブとしてもよい。
【発明の効果】
【００２１】
本発明の印刷装置によれば、先発印刷ジョブを印刷中に、既にスプール手段にスプールされている印刷ジョブまたは当該印刷中にスプール手段にスプールした印刷ジョブを後発印刷ジョブとする所定の割り込み印刷要求が発生すると、当該先発印刷ジョブの印刷条件に基づいて当該先発印刷ジョブの印刷を一時停止可能かどうか判断し、当該先発印刷ジョブの印刷が一時停止可能であると、当該先発印刷ジョブの印刷を一時停止させて、後発印刷ジョブを先に印刷処理する割り込み印刷管理制御処理を実行しているので、先発印刷ジョブの印刷に不具合を発生させることなく、可能な限り後発の印刷ジョブの割り込み印刷を行うことができ、利用性を適切に向上させることができる。
【発明を実施するための最良の形態】
【００２２】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２３】
図１〜図９は、本発明の印刷装置の一実施例を示す図であり、図１は、本発明の印刷装置の一実施例を適用した印刷装置１の要部ブロック構成図である。
【００２４】
図１において、印刷装置１は、システム制御部２、表示部３、印刷部４、スプール部５及びネットワーク部６等を備えている。
【００２５】
システム制御部２は、内部メモリ内のプログラムに基づいて印刷装置１の各部を制御して、印刷装置１としての基本処理を実行するとともに、後述する割り込み印刷管理制御処理を実行する。
【００２６】
操作表示部（通知手段）３は、図２に示すように、表示部１１、テンキー１２、スタートキー１３、割り込みキー１４等の操作キー及び図示しないその他の操作キー等を備えており、操作キーからは印刷装置１の動作に必要な各種操作が行われるとともに、表示部１１に、操作キーから入力された操作内容や印刷装置１からユーザに通知する各種情報、例えば、後述する割り込み印刷管理制御処理での割り込みできない旨の情報、現在スプールされているジョブの表示、給紙トレイの情報の表示、排紙トレイの情報の表示等の表示を行う。割り込みキー１４は、現在印刷ジョブの実行中に他の印刷ジョブの割り込み印刷を行いたい場合及び一旦中止した印刷を再開させる場合に、キー操作される。
【００２７】
印刷部４は、例えば、電子写真方式のエンジンが搭載されており、図示しないが、複数の給紙トレイ、複数の排紙トレイ、印刷実行部及びステープル、穴あけ等の後処理を行う後処理部等を備え、適宜選択された給紙トレイの１つから用紙を印刷実行部に搬送して、印刷実行部で画像データに応じた画像を形成した後、適宜選択された排紙トレイ上に排出し、また、必要に応じて、後処理部で、後処理を実行した後、排紙トレイ上に排出する。また、印刷部４は、印刷済の用紙の排紙トレイへの排出において印刷面を表向けて排出するフェースアップ排出と印刷面を裏向けて排出するフェースダウン排出を行う機能を備えており、また、操作表示部３のキー操作に応じて、これらのフェースアップ排出とフェースダウン排出を切り換える排出面切換機能を備えている。
【００２８】
スプール部（スプール手段）５は、システム制御部２の制御下で、ネットワーク部６を介して受信した画像データをスプールする。すなわち、システム制御部２は、ネットワーク部６を介して印刷ジョブを受信すると、当該印刷ジョブをスプール部５にスプールして、基本的に、スプール順に印刷ジョブを実行する。
【００２９】
ネットワーク部６には、ＬＡＮ（Local Area Network）等のネットワークが接続され、当該ネットワークには、コンピュータ等のホスト装置や他の印刷装置が接続されている。ネットワーク部６は、ネットワークを介したホスト装置や他の印刷装置との通信を可能として、ホスト装置や他の印刷装置との間でデータや制御信号の授受を行う。
【００３０】
次に、本実施例の作用を説明する。本実施例の印刷装置１は、ある印刷ジョブを印刷中に他の印刷ジョブを受信すると、スプール部５にスプールし、最初の印刷ジョブがなお継続されている場合に、割り込みキーが押下されると、現在印刷中の印刷ジョブの状態に応じて当該スプールして割り込み要求のあった印刷ジョブの割り込み印刷を制御する割り込み印刷管理制御処理を実行する。
【００３１】
すなわち、図３に示すように、印刷装置１は、印刷ジョブの印刷中に割り込みキー１４が押されると（ステップＳ１０１）、システム制御部２が、スプール部５にスプールされている印刷ジョブ（ｊｏｂ）があるか確認して（ステップＳ１０２）、スプールされている印刷ジョブが無いときには、現在印刷中の印刷ジョブの印刷を実行して、当該印刷ジョブの印刷処理が完了すると、その後にスプール部５にスプールされた印刷ジョブがあると、当該印刷ジョブの印刷処理を実行する処理を順次行って、全ての印刷ジョブの実行を完了すると、処理を終了する（ステップＳ１０３）。
【００３２】
ステップＳ１０２で、スプールされている印刷ジョブがあると、システム制御部２は、現在印刷中の印刷ジョブの印刷条件を確認して（ステップＳ１０４）、割り込み印刷が可能かどうか判別する（ステップＳ１０５）。この割り込み印刷が可能か否かの判断では、例えば、印刷条件が、ステープル処理が指定されていると、印刷実行部で最後まで印刷して、後処理部でステープル処理を実行する必要があるため、現在の印刷処理を停止することができず、割り込み印刷を行うことができない。
【００３３】
ステップＳ１０５で、割り込み印刷が可能な場合には、システム制御部２は、現在印刷中の印刷ジョブを一時停止し（ステップＳ１０６）、スプール部５に現在スプールされている印刷ジョブを、例えば、図４に示すように、操作表示部３の表示部１１にスプール印刷ジョブ画面として表示する（ステップＳ１０７）。このスプール印刷ジョブ画面では、スプールされている印刷ジョブを特定する情報と、給紙トレイの選択、排紙トレイの選択及び排紙を表裏いずれを上にして排紙するかのフェースアップ／ダウン（ＦａｃｅＵｐ／Ｄｏｗｎ）の選択ボタンを表示する。この表示部１１は、例えば、タッチパネルが用いられ、上記給紙トレイ、排紙トレイ、フェースアップ／ダウンの各ボタンを機能ボタンとして表示して、タッチ操作されることで、システム制御部２が、キー操作として認識して処理する。また、この印刷中の先発印刷ジョブの一旦停止に際しては、当該先発印刷ジョブの印刷条件に基づいて当該先発印刷ジョブの一時停止タイミングを決定する。
【００３４】
このスプール印刷ジョブ画面で、「給紙トレイ」の機能ボタンがタッチ操作されると、システム制御部２は、給紙トレイの情報を、例えば、図５に示すような給紙トレイ選択画面として表示部１１に表示し（ステップＳ１０８）、ユーザは、この給紙トレイ選択画面で、適宜の給紙トレイの表示ボタンをタッチ操作して、「ＯＫ」ボタンをタッチ操作することで、適宜の給紙トレイを選択することができる。例えば、一時停止した先発印刷ジョブでは、Ａ４  ＬＥＦの給紙トレイ１を使用して印刷していたが、同じ排紙先では印刷物が混同するおそれがあるため、印刷物が混同しないようにするために、割り込み印刷では、給紙トレイ２のＡ４  ＳＥＦを使用して印刷したい場合に選択する。
【００３５】
また、システム制御部２は、図４のスプール印刷ジョブ画面で、「排紙トレイ」の機能ボタンがタッチ操作されると、排紙トレイの情報を、図６に示すような排紙先選択画面を表示部１１に表示し（ステップＳ１０９）、ユーザは、この排紙先選択画面で、適宜排紙先を選択することができる。例えば、一時停止した先発ジョブでは本体の排紙トレイを使用して印刷していたが、同じ排紙トレイでは印刷物が混同するおそれがあるため、印刷物が混同しないようにするために、割り込み印刷では、ＦｉｎｉｓｈｅｒＡを使用して印刷したい場合に選択する。
【００３６】
さらに、図４のスプール印刷ジョブ画面で、「フェースアップ／ダウン（ＦａｃｅＵｐ／Ｄｏｗｎ）」の機能ボタンがタッチ操作されると、システム制御部２は、図７に示すように、排紙トレイ上への印刷済の用紙の排紙状態を指定するＦａｃｅＵｐ／Ｄｏｗｎ選択画面を表示部１１に表示し（ステップＳ１１０）、ユーザは、このＦａｃｅＵｐ／Ｄｏｗｎ選択画面で、印刷面を表向けて排紙するＦａｃｅ  Ｕｐ（フェースアップ）排紙を指定する「Ｆａｃｅ  Ｕｐ」の機能ボタンと、印刷面を裏向けて排紙するＦａｃｅ  Ｄｏｗｎ（フェースダウン）排紙を指定する「Ｆａｃｅ  Ｄｏｗｎ」の機能ボタンのいずれかを選択操作して、「ＯＫ」ボタンをタッチ操作することで、排紙方向を選択することができる。
【００３７】
このようにして、給紙トレイ、排紙トレイ及び排紙方向が選択指定されて、スタートキー１３が押下されると、システム制御部２は、割り込み印刷を実行し（ステップＳ１１１）、割り込み印刷が完了して、割り込みキー１４が再度押下されると、一時停止していた印刷ジョブの一時停止を解除して、当該一時停止していた印刷ジョブの印刷を開始して、割り込み印刷管理制御処理を終了する（ステップＳ１１２）。
【００３８】
ステップＳ１０５で、割り込み印刷が不可能なときには、システム制御部２は、図８に示すようなアラート画面を表示部１１に表示して、割り込み印刷ができない旨を通知するとともに、ネットワークに接続されている他の印刷装置（プリンタ）に当該ネットワークを介して送信するか否かの問い合わせの表示を行い（ステップＳ１１３）、ユーザがこのアラート画面で「Ｙｅｓ」の機能ボタンを押下して他の印刷装置への送信を指示するか、「Ｎｏ」の機能ボタンを押下して他の印刷装置への送信を拒否するかの選択を行うかをチェックする（ステップＳ１１４）。なお、割り込み印刷ができない旨の通知は、音声出力で行ってもよいし、音声出力と表示部１１へのアラート画面の表示の双方を行ってもよい。
【００３９】
ステップＳ１１４で、「Ｎｏ」の機能ボタンが押下されると、システム制御部２は、ステップＳ１０３に移行して、現在印刷中の印刷ジョブの印刷を実行して、当該印刷ジョブの印刷処理が完了すると、その後にスプール部５にスプールされた印刷ジョブがあると、当該印刷ジョブの印刷処理を実行する処理を順次行って、全ての印刷ジョブの実行を完了すると、処理を終了する（ステップＳ１０３）。
【００４０】
ステップＳ１１４で、「Ｙｅｓ」の機能ボタンが押下されると、システム制御部２は、他の印刷装置に割り込み印刷要求のあった印刷ジョブを送信すると判断して、スプール部５に現在スプールされている印刷ジョブを、例えば、図９に示すように、操作表示部３の表示部１１に送信ジョブ表示画面として表示し、図９の送信ジョブ表示画面で、「送信」の機能ボタンが押下されると、送信可能な他の印刷装置（プリンタ）を明示する送信先選択画面を表示部１１に表示する（ステップＳ１１６）。
【００４１】
この送信先選択画面で、送信先の他の印刷装置が選択操作されると、システム制御部２は、スプール部５にスプールされている当該選択された印刷ジョブを送信して、割り込み印刷管理制御処理を終了する（ステップＳ１１７）。
【００４２】
このように、本実施例の印刷装置１は、スプール部５にスプールされている先発印刷ジョブを印刷中に、既にスプール部５にスプールされている印刷ジョブまたは当該印刷中にスプール部５にスプールした印刷ジョブを後発印刷ジョブとする割り込み印刷要求が発生すると、当該先発印刷ジョブの印刷条件に基づいて当該先発印刷ジョブの印刷を一時停止可能かどうか判断し、当該先発印刷ジョブの印刷が一時停止可能であると、当該先発印刷ジョブの印刷を一時停止させて、後発印刷ジョブを先に印刷処理する割り込み印刷管理制御処理を実行している。
【００４３】
したがって、先発印刷ジョブの印刷に不具合を発生させることなく、可能な限り後発の印刷ジョブの割り込み印刷を行うことができ、印刷装置１の利用性を適切に向上させることができる。
【００４４】
また、本実施例の印刷装置１は、操作表示部３に割り込み印刷要求を発生する割り込みキー１４を備えており、当該割り込みキー１４のキー操作があると、割り込み印刷管理制御処理を実行している。
【００４５】
したがって、割り込み印刷のタイミングをユーザのキー操作によって決定して実行することができ、より一層利用性を向上させることができる。
【００４６】
さらに、本実施例の印刷装置１は、割り込み印刷要求のあった後発印刷ジョブの印刷処理を終了した後に、割り込みキー１４が再度キー操作されると、先発印刷ジョブの一時停止を解除して、当該先発印刷ジョブの印刷処理を再開している。
【００４７】
したがって、印刷を一時停止させた先発印刷ジョブの印刷を、ユーザの操作によって必要なタイミングでかつ速やかに再開することができる。
【００４８】
また、本実施例の印刷装置１は、割り込み印刷要求に応じて先発印刷ジョブの印刷を一時停止させる場合、当該先発印刷ジョブの印刷条件に基づいて当該先発印刷ジョブの一時停止タイミングを決定している。
【００４９】
したがって、先発印刷ジョブの印刷処理に最も適切なタイミングで、先発印刷ジョブの印刷を一時停止させることができ、より一層適切に先発印刷ジョブの印刷を行うことができるとともに、割り込み印刷を行うことができる。
【００５０】
さらに、本実施例の印刷装置１は、先発印刷ジョブの印刷の一時停止が不可能であると、割り込み印刷を実行できない旨を操作表示部３の表示部１１に表示出力する等を行って通知している。
【００５１】
したがって、ユーザは当該通知によって割り込み印刷できないこと及びその理由を知ることができ、必要な処置を適切にとることができる。
【００５２】
また、本実施例の印刷装置１は、割り込み印刷要求による後発印刷ジョブの印刷に使用する給紙トレイを複数の給紙トレイから適宜選択することができる。
【００５３】
したがって、割り込み印刷での給紙トレイをユーザが適宜選択して、現在印刷中の印刷ジョブの印刷済用紙と割り込み印刷での印刷済用紙とを適切に区別することができ、より一層利用性を向上させることができる。
【００５４】
さらに、本実施例の印刷装置１は、割り込み印刷要求による後発印刷ジョブの印刷に使用する排紙トレイを複数の排紙トレイから適宜選択することができる。
【００５５】
したがって、割り込み印刷での排紙トレイをユーザが適宜選択して、現在印刷中の印刷ジョブでの印刷済用紙と割り込み印刷での印刷済用紙とを適切に区別することができ、より一層利用性を向上させることができる。
【００５６】
また、本実施例の印刷装置１は、割り込み印刷要求による後発印刷ジョブの印刷での印刷済用紙の排出を排出面切換機能によってフェースダウン排出とフェースアップ排出とに宜選択することができる。
【００５７】
したがって、割り込み印刷での用紙排出においてフェースダウン排出とフェースアップ排出をユーザが適宜選択して、現在印刷中の印刷ジョブでの印刷済用紙と割り込み印刷での印刷済用紙とを適切に区別することができ、より一層利用性を向上させることができる。
【００５８】
さらに、本実施例の印刷装置１は、先発印刷ジョブの印刷の一時停止が不可能であると、スプール部５にスプールされている後発印刷ジョブを他の印刷装置に送信して、当該他の印刷装置に印刷させる印刷ジョブ転送機能を備えている。
【００５９】
したがって、割り込み印刷を行うことができない場合に、他の印刷装置に割り込み印刷対象の後発印刷ジョブを送信して、印刷させることができ、緊急性の高い印刷を適切かつ速やかに実行して、利用性をより一層向上させることができる。
【００６０】
また、本実施例の印刷装置１は、後発印刷ジョブがスプール部５に複数スプールされていると、当該複数のスプールされている後発印刷ジョブのうち選択された後発印刷ジョブを割り込み印刷要求によって割り込み印刷する印刷ジョブまたは他の印刷装置に転送する印刷ジョブとしている。
【００６１】
したがって、ユーザが優先させる後発印刷ジョブを適宜選択することができ、利用性をより一層向上させることができる。
【００６２】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００６３】
印刷ジョブを印刷中に後発の印刷ジョブの割り込み印刷指示があった場合に、割り込み印刷処理を適切に管理する印刷装置一般に適用することができる。
【図面の簡単な説明】
【００６４】
【図１】本発明の印刷装置の一実施例を適用した印刷装置の要部ブロック構成図。
【図２】図１の操作表示部の平面図。
【図３】図１の印刷装置による割り込み印刷管理制御処理を示すフローチャート。
【図４】図３の割り込み印刷管理制御処理で表示部に表示するスプール印刷ジョブ画面の一例を示す図。
【図５】図３の割り込み印刷管理制御処理で表示部に表示する給紙トレイ選択画面の一例を示す図。
【図６】図３の割り込み印刷管理制御処理で表示部に表示する排紙先選択画面の一例を示す図。
【図７】図３の割り込み印刷管理制御処理で表示部に表示するＦａｃｅＵｐ／Ｄｏｗｎ選択画面の一例を示す図。
【図８】図３の割り込み印刷管理制御処理で表示部に表示するアラート画面の一例を示す図。
【図９】図３の割り込み印刷管理制御処理で表示部に表示する送信ジョブ表示画面の一例を示す図。
【符号の説明】
【００６５】
１  印刷装置
２  システム制御部
３  表示部
４  印刷部
５  スプール部
６  ネットワーク部
１１  表示部
１２  テンキー
１３  スタートキー
１４  割り込みキー
【図１】
2007160835.tif 000003
【図２】
2007160835.tif 000004
【図３】
2007160835.tif 000005
【図４】
2007160835.tif 000006
【図５】
2007160835.tif 000007
【図６】
2007160835.tif 000008
【図７】
2007160835.tif 000009
【図８】
2007160835.tif 000010
【図９】
2007160835.tif 000011